(57)【要約】【課題】スキャン機能を拡張し、操作性の良い画像処理システムを提供する。【解決手段】原稿をスキャンし、画像データを形成し転送するＭＦＰ１と、ＭＦＰ１から転送された画像データを受信するＰＣ５と、を備える画像処理システムにおいて、ＰＣ５は、ＭＦＰ１から転送された画像データを所定のフォルダ９に格納する記憶部７と、記憶部７のフォルダ９に画像データが格納されたことを検出する監視部２０１と、画像データが検出されたとき、画像データのスキャン属性に従って、画像データを処理する処理部２０５と、を備える。【選択図】図２
2008283441.tif 000002
【特許請求の範囲】
【請求項１】
原稿をスキャンし、画像データを形成し転送する画像読取装置と、前記画像読取装置から転送された前記画像データを受信する制御装置と、を備える画像処理システムにおいて、
前記制御装置は、
前記画像読取装置から転送された前記画像データを所定のフォルダに格納するデータ格納部と、
前記データ格納部の前記フォルダに前記画像データが格納されたことを検出する検出部と、
前記画像データが検出されたとき、前記画像データのスキャン属性に従って、前記画像データを処理する処理部と、を備える画像処理システム。
【請求項２】
請求項１に記載の画像処理システムにおいて、
前記画像読取装置は、
前記画像データのスキャン属性の指定を受け付ける指定受付部と、
前記スキャン属性に転送先フォルダを対応付けて記憶する転送先テーブルと、
前記転送先テーブルを参照して、前記指定受付部が受け付けた前記スキャン属性に対応する前記転送先フォルダを取得し、その転送先フォルダに前記画像データを転送する転送部と、を備え、
前記制御装置は、
前記スキャン属性に前記データ格納部のフォルダを対応付けるスキャン属性テーブルと、
前記画像データが検出されたとき、前記スキャン属性テーブルを参照し、前記画像データが格納されたフォルダに対応する前記スキャン属性を判別する判別部と、をさらに備え、
前記制御装置の前記処理部は、前記判別部で判別された前記スキャン属性に従って、前記画像データを処理する画像処理システム。
【請求項３】
請求項１または２に記載の画像処理システムにおいて、
前記画像読取装置は、
前記画像データに前記スキャン属性を識別するための識別情報を付与する付与部をさらに備え、
前記制御装置は、
前記スキャン属性に識別情報を対応付けて記憶する対応テーブルと、
前記画像データから前記識別情報を識別し、前記対応テーブルを参照し、前記識別情報に対応する前記スキャン属性を判別する判別部をさらに備え、
前記制御装置の前記処理部は、前記判別部で判別された前記スキャン属性に従って、前記画像データを処理する画像処理システム。
【請求項４】
請求項１乃至３いずれかに記載の画像処理システムにおいて、
前記スキャン属性は、複数枚の原稿をスキャンして一画像データにまとめるＮｉｎ１スキャン、小冊子スキャン、１枚の原稿をスキャンして得られた画像データを複数一ページに連写するページ連写スキャン指定を含む画像処理システム。
【請求項５】
原稿をスキャンし、画像データを取得する取得部と、
前記画像データを格納する格納部と、
前記画像データのスキャン属性の指定を受け付ける指定受付部と、
前記スキャン属性と前記画像データの転送属性を対応付けて記憶する転送属性テーブルと、
前記転送属性テーブルを参照し、前記指定受付部が受け付けた前記スキャン属性に基づいて、前記転送属性を取得し、前記転送属性に従って、前記画像データを所定のフォルダに転送する転送部と、
を備える画像読取装置。
【請求項６】
請求項５に記載の画像読取装置において、
前記転送属性テーブルは、前記スキャン属性と、前記画像データの転送先フォルダ名を対応付けて記憶し、
前記転送部は、前記転送属性テーブルを参照し、前記指定受付部が受け付けた前記スキャン属性に対応する前記転送先フォルダ名のフォルダに、前記画像データを転送する画像読取装置。
【請求項７】
請求項５または６に記載の画像読取装置において、
前記転送属性テーブルは、前記スキャン属性と、前記画像データに付与する識別情報を対応付けて記憶し、
前記転送属性テーブルを参照し、前記指定受付部が受け付けた前記スキャン属性に対応する前記識別情報を前記画像データに付与する付与部をさらに含み、
前記転送部は、前記識別情報が付与された前記画像データを前記所定のフォルダに転送する画像読取装置。
【請求項８】
請求項５乃至７いずれかに記載の画像読取装置において、
前記スキャン属性は、複数枚の原稿をスキャンして一画像データにまとめるＮｉｎ１スキャン、小冊子スキャン、１枚の原稿をスキャンして得られた画像データを複数一ページに連写するページ連写スキャン指定を含む画像読取装置。
【請求項９】
原稿をスキャンし、画像データを形成し転送する画像読取装置から転送された前記画像データを受信し格納する格納部を備えるコンピュータを、
前記画像読取装置から転送された前記画像データを前記格納部の所定のフォルダに格納する手段、
前記格納部の前記フォルダに前記画像データが格納されたことを検出する手段、
前記画像データが検出されたとき、前記画像データのスキャン属性に従って、前記画像データを処理する手段、として機能させるための制御プログラム。
【請求項１０】
請求項９に記載の制御プログラムにおいて、
前記コンピュータは、
前記スキャン属性に前記格納部のフォルダを対応付けるスキャン属性テーブルを備え、
前記コンピュータを、
前記画像データが検出されたとき、前記スキャン属性テーブルを参照し、前記画像データが格納されたフォルダに対応する前記スキャン属性を判別する手段、
前記判別する手段で判別された前記スキャン属性に従って、前記画像データを処理する手段、として機能させるための制御プログラム。
【請求項１１】
請求項９または１０に記載の制御プログラムにおいて、
前記コンピュータは、
前記スキャン属性に識別情報を対応付ける対応テーブルを備え、
前記コンピュータを、
前記画像データに含まれる識別情報を認識し、前記対応テーブルを参照し、前記識別情報に対応する前記スキャン属性を判別する手段、
前記判別する手段で判別された前記スキャン属性に従って、前記画像データを処理する手段、として機能させるための制御プログラム。
【請求項１２】
請求項９乃至１１いずれかに記載の制御プログラムにおいて、
前記スキャン属性は、複数枚の原稿をスキャンして一画像データにまとめるＮｉｎ１スキャン、小冊子スキャン、１枚の原稿をスキャンして得られた画像データを複数一ページに連写するページ連写スキャン指定を含む制御プログラム。
【発明の詳細な説明】
【技術分野】
【０００１】
本発明は、画像処理システム、画像読取装置、および制御プログラムに関する。
【背景技術】
【０００２】
従来の画像処理システムとしては、例えば特許文献１に記載されたものがある。同文献に記載された印刷制御装置は、サーバに複数のホットフォルダを設け、ホットフォルダ毎にデータ形式やプリンタを対応付けて登録し、パーソナルコンピュータ（以下、「ＰＣ（Personal Computer）」と略す）からホットフォルダにデータが書き込まれたことを検出して、印刷ジョブを登録する。
【０００３】
また、特許文献２には、ＡＤＦ（Auto Document Feeder）付きスキャナで原稿を読み込み、画像データをファイル名を付けてＨＤＤ（Hard Disk Drive）に保存し、ＦＴＰ（File Transfer Protocol）でＷＡＮ（Wide Area Network）を介してファイルを送信する構成が記載されている。
【０００４】
近年、スキャナ、コピー機や複合機もネットワークに接続されるようになり、ＰＣなどとネットワークを介して接続されるようになってきた。スキャナで読み込まれた画像データをＰＣに転送し、プリンタで印刷することもできる。また、コピー機などでは、複数枚の原稿を一画像データにまとめて印刷する、所謂Ｎｉｎ１印刷が可能である。
【特許文献１】特開２０００−１１８０９５号公報
【特許文献２】特開２００３−１１４７９０号公報
【発明の開示】
【発明が解決しようとする課題】
【０００５】
しかしながら、従来のＮｉｎ１印刷は、スキャナで読み取られた画像データはプリンタ側でＮｉｎ１処理を行い印刷出力していた。そのため、ＰＣを経由して画像データがプリンタに出力される場合には、プリンタにＮｉｎ１印刷機能がなければ、Ｎｉｎ１印刷をすることができなかった。
【０００６】
また、スキャナ自身にＮｉｎ１スキャン機能を持たせるためには、スキャナに大容量のメモリが必要になりコストがかかり、また、Ｎｉｎ１スキャン処理は非常に複雑でソフトウェアが膨大になり、スキャン時の処理に時間がかかるといった問題点があった。
【０００７】
本発明は上記事情に鑑みてなされたものであり、その目的とするところは、スキャン機能を拡張し、操作性の良い画像処理システムを提供することにある。
【課題を解決するための手段】
【０００８】
本発明によれば、原稿をスキャンし、画像データを形成し転送する画像読取装置と、前記画像読取装置から転送された前記画像データを受信する制御装置と、を備える画像処理システムにおいて、
前記制御装置は、
前記画像読取装置から転送された前記画像データを所定のフォルダに格納するデータ格納部と、
前記データ格納部の前記フォルダに前記画像データが格納されたことを検出する検出部と、
前記画像データが検出されたとき、前記画像データのスキャン属性に従って、前記画像データを処理する処理部と、を備える画像処理システムが提供される。
【０００９】
スキャン属性とは、たとえば、Ｎｉｎ１、小冊子、またはページ連写スキャンなどのスキャン処理方式を指定する属性である。出力先はたとえば、プリンタであり、制御装置によってＮｉｎ１スキャン処理された画像データを受信し、通常印刷するだけで、スキャン原稿をＮｉｎ１印刷出力することが可能になる。また、たとえば、Ｎｉｎ１スキャン処理がなされた画像データを出力した後、記憶部に記憶することができ、制御装置の表示部で画像データを普通にプレビュー表示するだけで、プリンタへの印刷指示をせずに、Ｎｉｎ１処理された画像データをプレビューすることができる。
【００１０】
この発明によれば、画像読取装置でスキャンされた画像データをスキャン属性に従って処理することができる。したがって、画像データを受信し、出力する画像形成装置がＮｉｎ１印刷機能を有さない場合でも、制御装置が予めＮｉｎ１スキャン処理を行うことができるので、Ｎｉｎ１印刷出力が可能となる。このように本発明によれば、Ｎｉｎ１スキャンや小冊子スキャンなどスキャン機能を拡張し、操作性の良い画像処理システムを提供することができる。
【００１１】
上記画像処理システムにおいて、前記画像読取装置は、前記画像データのスキャン属性の指定を受け付ける指定受付部と、前記スキャン属性に転送先フォルダを対応付けて記憶する転送先テーブルと、前記転送先テーブルを参照して、前記指定受付部が受け付けた前記スキャン属性に対応する前記転送先フォルダを取得し、その転送先フォルダに前記画像データを転送する転送部と、を備えることができ、前記制御装置は、前記スキャン属性に前記データ格納部のフォルダを対応付けるスキャン属性テーブルと、前記画像データが検出されたとき、前記スキャン属性テーブルを参照し、前記画像データが格納されたフォルダに対応する前記スキャン属性を判別する判別部と、をさらに備えることができ、前記制御装置の前記処理部は、前記判別部で判別された前記スキャン属性に従って、前記画像データを処理することができる。
【００１２】
予めスキャン属性が対応付けられているフォルダに、スキャンして得られた画像データを転送することで、スキャン属性に従って画像データを処理することができる。処理後の画像データは、同じフォルダに上書き保存され、管理テーブルで画像データの処理済みを管理することができる。あるいは、ファイル名に処理済みであることを示す識別情報を付与してもよい。あるいは、処理済みの画像データを格納するフォルダを別途設け、処理済みの画像データを別フォルダに移動させてもよい。
【００１３】
上記画像処理システムにおいて、前記画像読取装置は、前記画像データに前記スキャン属性を識別するための識別情報を付与する付与部をさらに備えることができ、前記制御装置は、前記スキャン属性に識別情報を対応付けて記憶する対応テーブルと、前記画像データから前記識別情報を識別し、前記対応テーブルを参照し、前記識別情報に対応する前記スキャン属性を判別する判別部をさらに備えることができ、前記制御装置の前記処理部は、前記判別部で判別された前記スキャン属性に従って、前記画像データを処理することができる。
【００１４】
たとえば、画像読取装置で、ａａａａ．ｔｉｆｆというファイル名の画像データに、２ｉｎ１＿という識別情報を付与して、２ｉｎ１＿ａａａａ．ｔｉｆｆというファイル名にして、制御装置に転送することができる。あるいは、テキストファイル名、またはテキストファイルにスキャン属性の識別情報を含め、画像データとともに転送してもよい。制御装置は、識別情報から画像データを２ｉｎ１処理すべきことを認識でき、処理することができる。
【００１５】
上記画像処理システムにおいて、前記スキャン属性は、複数枚の原稿をスキャンして一画像データにまとめるＮｉｎ１スキャン、小冊子スキャン、１枚の原稿をスキャンして得られた画像データを複数一ページに連写するページ連写スキャン指定を含むことができる。
【００１６】
本発明によれば、原稿をスキャンし、画像データを取得する取得部と、
前記画像データを格納する格納部と、
前記画像データのスキャン属性の指定を受け付ける指定受付部と、
前記スキャン属性と前記画像データの転送属性を対応付けて記憶する転送属性テーブルと、
前記転送属性テーブルを参照し、前記指定受付部が受け付けた前記スキャン属性に基づいて、前記転送属性を取得し、前記転送属性に従って、前記画像データを所定のフォルダに転送する転送部と、
を備える画像読取装置が提供される。
【００１７】
この発明によれば、画像読取装置で指定されたスキャン属性に従って、転送先で画像データを出力することができる。
【００１８】
本発明によれば、原稿をスキャンし、画像データを形成し転送する画像読取装置から転送された前記画像データを受信し格納する格納部を備えるコンピュータを、
前記画像読取装置から転送された前記画像データを前記格納部の所定のフォルダに格納する手段、
前記格納部の前記フォルダに前記画像データが格納されたことを検出する手段、
前記画像データが検出されたとき、前記画像データのスキャン属性に従って、前記画像データを処理する手段、として機能させるための制御プログラムが提供される。
【００１９】
なお、以上の構成要素の任意の組合せ、本発明の表現を方法、装置、システム、記録媒体、コンピュータプログラムなどの間で変換したものもまた、本発明の態様として有効である。
【発明の効果】
【００２０】
本発明によれば、スキャン機能を拡張し、操作性の良い画像処理システムが提供される。
【発明を実施するための最良の形態】
【００２１】
以下、本発明の実施の形態について、図面を用いて説明する。尚、すべての図面において、同様な構成要素には同様の符号を付し、適宜説明を省略する。
【００２２】
（第一の実施の形態）
図１は、本発明の実施の形態に係る画像処理システムの構成を示すブロック図である。本実施形態の画像処理システムは、原稿２１をスキャンし、画像データを形成し転送する画像読取装置（ＭＦＰ１）と、ネットワーク１３を介して画像読取装置（ＭＦＰ１）と接続され、画像読取装置（ＭＦＰ１）から転送された画像データを受信する制御装置（ＰＣ５）と、を備える。
【００２３】
本発明の画像読取装置は、たとえば、ＬＡＮ（Local Area Network）やＷＡＮなどのネットワーク１３に接続されたＭＦＰ（Multi Functional Peripheral）、ネットワークスキャナ、インターネットファクシミリ装置などであり、モノクロまたはカラースキャナ機能を有する。本実施形態では、画像読取装置は、カラースキャナ機能付きのＭＦＰとして説明する。ＭＦＰ１は、ＳＭＢ（Server Message Block）プロトコルを用いて、画像データを制御装置（ＰＣ５）にネットワーク１３を介して転送する。
【００２４】
制御装置は、ＰＣやワークステーションなどであり、ＭＦＰ１から転送された画像データを受信し格納する複数のフォルダ９を有する記憶部７と、表示部１１と、キーボードおよびマウスなどの操作部（不図示）と、を含む。本実施形態では、制御装置はＰＣ５として説明する。なお、以下の各図において、本発明の本質に関わらない部分の構成については省略してある。
【００２５】
さらに、ネットワーク１３上には、モノクロレーザプリンタ１５およびカラープリンタ１７が接続され、ＭＦＰ１で原稿２１をスキャンして形成された画像データは、ＰＣ５を介してモノクロレーザプリンタ１５またはカラープリンタ１７に転送され、印刷出力される。ＰＣ５には、フォルダ９を監視し、ＭＦＰ１から転送された画像データがフォルダ９に格納されたことを検知し、モノクロレーザプリンタ１５やカラープリンタ１７に出力制御するエージェントソフト３が予めインストールされている。また、ＰＣ５では、表示部１１上で、画像データのプレビュー画面２３を表示させることができる。図１では、４枚の原稿２１をまとめて一つの画像データとして、所謂４ｉｎ１印刷を行うときの表示例が示されている。
【００２６】
なお、本実施形態において、ＭＦＰ１、モノクロレーザプリンタ１５およびカラープリンタ１７は同じネットワーク１３に接続される構成としているが、これに限定されない。ＭＦＰ１と、モノクロレーザプリンタ１５およびカラープリンタ１７は必ずしも同じネットワーク上でなくてもよく、モノクロレーザプリンタ１５およびカラープリンタ１７は、他のネットワークまたは直接ＰＣ５とＵＳＢ（Universal Serial Bus）などのシリアルケーブルまたはパラレルケーブルで接続されてもよい。
【００２７】
また、本実施形態において、ネットワーク１３上に接続されているＰＣ５およびＰＣ５の記憶部７はそれぞれ１台であるが、これに限定されない。すなわち、ＭＦＰ１から複数のＰＣ５の記憶部７または複数の記憶部７の中から任意のフォルダを指定して画像データを転送することが可能である。また、記憶部７は、ネットワーク１３に直接接続される構成とすることもできる。
【００２８】
また、画像処理システムの各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウェアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２９】
図２は、本実施形態の画像処理システムのＭＦＰ１およびＰＣ５の構成を示す機能ブロック図である。本実施形態の画像処理システムにおいて、制御装置（ＰＣ５）は、画像読取装置（ＭＦＰ１）から転送された画像データを所定のフォルダ９に格納するデータ格納部（記憶部７）と、データ格納部（記憶部７）のフォルダ９に画像データが格納されたことを検出する検出部（監視部２０１）と、画像データが検出されたとき、画像データのスキャン属性に従って、画像データを処理する処理部（処理部２０５）と、を備える。
【００３０】
ＰＣ５において、上記の制御装置を実現するための制御プログラムは、原稿をスキャンし、画像データを形成し転送する画像読取装置（ＭＦＰ１）から転送された画像データを受信し格納する格納部（記憶部７）を備えるコンピュータ（ＰＣ５）を、画像読取装置（ＭＦＰ１）から転送された画像データを格納部（記憶部７）の所定のフォルダ９に格納する手段（受信部２００）、格納部（記憶部７）のフォルダ９に画像データが格納されたことを検出する手段（監視部２０１、図１のエージェントソフト３）、画像データが検出されたとき、画像データのスキャン属性に従って、画像データを処理する手段（処理部２０５、図１のエージェントソフト３）、として機能させるためのものである。
【００３１】
さらに、本実施形態の画像処理システムにおいて、画像読取装置（ＭＦＰ１）は、画像データのスキャン属性の指定を受け付ける指定受付部（操作部１０１、スキャン属性受付部１０３）と、スキャン属性に転送先フォルダを対応付けて記憶する転送先テーブル（転送属性テーブル１０９）と、転送先テーブル（転送属性テーブル１０９）を参照して、指定受付部（操作部１０１、スキャン属性受付部１０３）が受け付けたスキャン属性に対応する転送先フォルダを取得し、その転送先フォルダに画像データを転送する転送部（転送制御部１１１、転送部１１３）と、を備え、制御装置（ＰＣ５）は、スキャン属性にデータ格納部（記憶部７）のフォルダ９を対応付けるスキャン属性テーブル２０７と、画像データが検出されたとき、スキャン属性テーブル２０７を参照し、画像データが格納されたフォルダ９に対応するスキャン属性を判別する判別部（処理部２０５）と、をさらに備え、制御装置（ＰＣ５）の処理部２０５は、判別部（処理部２０５）で判別されたスキャン属性に従って、画像データを処理する。
【００３２】
詳細には、ＭＦＰ１は、操作部１０１と、スキャン属性受付部１０３と、読取部１０５と、画像データ一時記憶部１０７と、転送属性テーブル１０９と、転送制御部１１１と、転送部１１３と、を備える。
【００３３】
操作部１０１は、ＭＦＰ１の操作パネル上に設けられたキーボード、スイッチ、操作ボタン、タッチパネルなどであり、ユーザが操作指示を行うのに使用する。本実施形態において、たとえば、タッチパネルにより、スキャン時の各種設定をユーザにさせるためのユーザインタフェース（不図示）が提供される。スキャン時の設定とは、たとえば、カラー／モノクロ指定、解像度、出力倍率などの他に、本発明のスキャン属性として、Ｎｉｎ１／小冊子スキャンなどのスキャン方式の指定などを含むことができる。さらに、本実施形態のＭＦＰ１は、スキャンして得られた画像データをフォルダに転送する「スキャンtoフォルダ機能」を有し、転送先として任意のフォルダを指定することもできる。
【００３４】
読取部１０５は、原稿を光学的に走査して画像を読み取り、たとえば、ＴＩＦＦ（Tagged Image File Format）形式の画像データとして出力する。本実施形態において、読取部１０５は、複数枚の原稿を連続して読み取り可能なオートシートフィーダ（不図示）を備えている。画像データ一時記憶部１０７は、読取部１０５から出力された画像データを一時的に保存する。転送属性テーブル１０９には、図３に示すように、スキャン属性１２１に転送先フォルダ１２３が対応付けられて記憶される。図２に戻り、転送制御部１１１は、転送属性テーブル１０９を参照し、スキャン属性受付部１０３が受け付けたスキャン属性に対応する転送先フォルダを取得し、転送部１１３に転送を指示する。
【００３５】
転送部１１３は、転送制御部１１１からの指示に従って、画像データ一時記憶部１０７に一時的に格納された画像データを読み出し、ＳＭＢプロトコルを用いて転送先フォルダにネットワーク１３を介して転送する。
【００３６】
ＰＣ５は、受信部２００と、監視部２０１と、管理テーブル２０３と、処理部２０５と、スキャン属性テーブル２０７と、出力部２０９と、を備える。本実施形態において、記憶部７は、少なくとも図３の複数の転送先フォルダ１２３に対応する複数のフォルダ９を有するものとする。フォルダ９は階層構造とすることもでき、ユーザが転送先として指定した任意のフォルダの配下に図３の複数の転送先フォルダ１２３に対応する複数のフォルダを含むことができる。また、任意のフォルダの配下に図３の複数の転送先フォルダ１２３に対応するフォルダが存在しない場合、ＭＦＰ１の転送制御部１１１によりフォルダを作成することができる。
【００３７】
受信部２００は、ネットワーク１３を介してＭＦＰ１からＳＭＢプロトコルを用いて転送された画像データを受信し、記憶部７のフォルダ９に格納する。監視部２０１は、記憶部７の複数のフォルダ９を監視し、転送された画像データが格納されたことを検出する。管理テーブル２０３は、図４に示すように、ＭＦＰ１から転送された画像データを管理する情報が記憶されており、受信時間２２１と、ファイル名２２３と、状態２２５とを含む。
【００３８】
図２に戻り、スキャン属性テーブル２０７は、ＭＦＰ１の転送属性テーブル１０９と同様のテーブルであり、記憶部７の複数のフォルダ９に対応するスキャン属性が記憶されている。処理部２０５は、監視部２０１が、画像データがフォルダ９に格納されたことを検出したとき、スキャン属性テーブル２０７を参照し、画像データが検出されたフォルダ９に対応するスキャン属性を取得し、対応する画像処理を行う。出力部２０９は、処理部２０５で処理された画像データをモノクロレーザプリンタ１５（図１）やカラープリンタ１７に出力する。また、ＰＣ５の表示部１１（図１）にプレビュー画面２３として出力することもできる。
【００３９】
また、監視部２０１で画像データを検出した場合、図４の管理テーブル２０３に受信時間２２１と、ファイル名２２３と、状態２２５が記憶される。このとき状態２２５は、「未処理」となる。そして、処理部２０５でスキャン属性に従って処理がなされた後、図４の管理テーブル２０３の状態２２５は、「未処理」から「処理済み」に変更される。さらに、出力部２０９で画像データのモノクロレーザプリンタ１５（図１）またはカラープリンタ１７への出力が実行されている場合、図４の管理テーブル２０３の状態２２５は、「処理済み」から「印刷中」と変更される。
【００４０】
このように構成された本実施形態の画像処理システムの動作について、以下に説明する。図５は、本実施形態の画像処理システムのＭＦＰの動作の一例を示すフローチャートである。図６は、本実施形態の画像処理システムのＰＣの動作の一例を示すフローチャートである。以下、図２乃至図６を用いて説明する。
【００４１】
図５に示すように、まず、図２のＭＦＰ１において、スキャンtoフォルダ機能の開始をユーザが操作パネル上で指示したとき、図２の操作部１０１が受け付け、本処理が開始される（ステップＳ１１）。さらに、ＭＦＰ１では、スキャン時の設定を図２のスキャン属性受付部１０３が受け付ける（ステップＳ１３）。たとえば、４ｉｎ１スキャンが指定され、転送先フォルダとして、図２の記憶部７のフォルダ９「ｃ：￥ａａａ」が指定された場合について、以下説明する。そして、図２の読取部１０５は、複数枚の原稿をオートシートフィーダで読み取り、ＴＩＦＦ形式の画像データとして図２の画像データ一時記憶部１０７に格納する（ステップＳ１５）。
【００４２】
そして、図２の転送制御部１１１が図３の転送属性テーブル１０９を参照し、図２のスキャン属性受付部１０３が受け付けたスキャン属性、ここでは４ｉｎ１スキャンに対応する転送先フォルダ１２３「￥４ｉｎ１」を取得し、図２の転送部１１３に転送を指示する。そして、図２の転送部１１３が、図２の転送制御部１１１からの指示に従って、図２の画像データ一時記憶部１０７に一時的に格納された画像データを読み出し、ＳＭＢプロトコルを用いて転送先フォルダ「ｃ：￥ａａａ￥４ｉｎ１」にネットワーク１３を介して転送する（ステップＳ１７）。このようにして転送された画像データは、図２のＰＣ５の受信部２００によって受信され、図２の記憶部７のフォルダ「ｃ：￥ａａａ￥４ｉｎ１」に格納される。
【００４３】
そして、図６に示すように、ＰＣ５では、図２の監視部２０１が図２の記憶部７の「ｃ：￥ａａａ￥４ｉｎ１」というフォルダ９に画像データが格納されたことを検出すると（ステップＳ２１のＹＥＳ）、図２の管理テーブル２０３に受信時間２２１およびファイル名２２３が登録され、その状態２２５に「未処理」と登録される。そして、図２の処理部２０５がスキャン属性テーブル２０７を参照し、フォルダ「￥４ｉｎ１」に対応する「４ｉｎ１スキャン」であることを判別する（ステップＳ２３のＹＥＳ）。なお、Ｎｉｎ１スキャン以外に、小冊子スキャンも判別可能であり、その場合、ステップＳ２５に進んだ後、後述するステップＳ２７でも、小冊子スキャン処理を行うものとする。「指定なし」の通常スキャンの場合のみ（ステップＳ２３のＮＯ）、処理を終了する。
【００４４】
そして、図２の処理部２０５は記憶部７のフォルダ「ｃ：￥ａａａ￥４ｉｎ１」から画像データを読み出し（ステップＳ２５）、４ｉｎ１処理を行う（ステップＳ２７）。そして、再度図２の記憶部７のフォルダ「ｃ：￥ａａａ￥４ｉｎ１」に処理済みの画像データを格納し直す（ステップＳ２９）。
【００４５】
なお、このとき、図２の処理部２０５は、図２の管理テーブル２０３にアクセスし、対応するファイルの状態２２５を「未処理」から「処理済み」に変更する。そして、図２の出力部２０９は、予め指定されているプリンタ、たとえば、図２のカラープリンタ１７に図２の記憶部７のフォルダ９に格納されている「処理済み」の画像データを出力する。出力は自動的に行ってもよいし、ユーザからの出力指示を受け付けて、出力してもよい。図２のカラープリンタ１７に出力中は、図４の管理テーブル２０３の状態２２５は、「印刷中」となる。出力後のデータは、図２の記憶部７のフォルダ９から削除されてもよいし、そのまま記憶されてもよい。そのまま記憶する場合は、図４の管理テーブル２０３の状態２２５を「印刷済み」とする。
【００４６】
また、４ｉｎ１スキャン処理されて図２の記憶部７のフォルダ９に格納された画像データを、図１のＰＣ５の表示部１１にプレビュー画面２３として表示させると、プリンタに印刷指示をしなくても、４ｉｎ１フォーマットでプレビューすることができる。また、モノクロレーザプリンタ１５やカラープリンタ１７などの画像形成装置がＮｉｎ１印刷機能や小冊子印刷機能を有さない場合でも、ＰＣ５にてＮｉｎ１スキャン処理および小冊子スキャン処理を行った画像データを通常印刷指示すれば、Ｎｉｎ１印刷や小冊子印刷が可能となる。
【００４７】
以上説明したように、本発明の実施の形態の画像処理システムによれば、ＭＦＰ１でスキャンされた画像データをスキャン属性に従って処理することができる。このように本発明によれば、Ｎｉｎ１スキャンや小冊子スキャンなどスキャン機能を拡張し、操作性の良い画像処理システムを提供することができる。
【００４８】
また、Ｎｉｎ１スキャン機能をエージェントソフト３で実現させることにより、スキャナにＮｉｎ１スキャン処理させる場合に比較して、スキャナに大容量のメモリが不要となり、コストを抑えられる。また、スキャン時の処理に時間がかかるのを防ぐことができる。
【００４９】
（第二の実施の形態）
図７および図８は、本発明の実施の形態に係る画像処理システムのＭＦＰおよびＰＣの動作の一例を示すフローチャートである。本実施形態の画像処理システムは、上記実施の形態とは、ＭＦＰ１がスキャンした画像データにスキャン属性を識別するための識別情報を付与してＰＣ５に転送する点で相違する。以下、図１および図２も用いて説明する。
【００５０】
本実施形態の画像処理システムにおいて、画像読取装置（図２のＭＦＰ１）は、画像データにスキャン属性を識別するための識別情報を付与する付与部（転送制御部１１１）をさらに備え、制御装置（図２のＰＣ５）は、スキャン属性に識別情報を対応付けて記憶する対応テーブル（図２のスキャン属性テーブル２０７）と、画像データから識別情報を識別し、対応テーブル（図２のスキャン属性テーブル２０７）を参照し、識別情報に対応するスキャン属性を判別する判別部（図２の処理部２０５）をさらに備え、制御装置（図２のＰＣ５）の処理部（図２の処理部２０５）は、判別部（図２の処理部２０５）で判別されたスキャン属性に従って、画像データを処理する。
【００５１】
本実施形態において、図２の転送属性テーブル１０９には、スキャン属性１２１毎に、画像データに付与する識別情報が対応付けられて記憶される。本実施形態において、スキャン属性１２１が「２ｉｎ１スキャン」の場合、転送用の画像データのファイル名には、転送制御部１１１によって２ｉｎ１処理されて形成された画像データのファイル名に「２ｉｎ１＿」が付与され、転送用画像データは、「２ｉｎ１＿ａａａ．ｔｉｆｆ」というファイル名になる。また、図２のスキャン属性テーブル２０７も同様に、転送される画像データに付与される識別情報に対応するスキャン属性が記憶される。
【００５２】
このように構成された本実施形態の画像処理システムの動作について、以下に説明する。以下、図１、図２、図７および図８を用いて説明する。なお、図７および図８において、それぞれ図５および図６と同じ処理のステップについては、同じ符号を付してある。
【００５３】
図７において、ステップＳ１１〜ステップＳ１５は図５と同様である。なお、ここではスキャン属性受付部１０３がスキャン属性として、「小冊子スキャン」を受け付けたものとする。また、転送先フォルダとして、「ｃ：￥ａａａ２」が指定されたものとする。図２の読取部１０５によって原稿がスキャンされた後、図２の転送制御部１１１が図３の転送属性テーブル１０９を参照し、スキャン属性受付部１０３が受け付けたスキャン属性、すなわち小冊子スキャンに対応する識別情報「ｌｅａｆｌｅｔ＿」を取得し、図２の読取部１０５が図２の画像データ一時記憶部１０７に格納した画像データのファイル名に識別情報を付与する。すなわち、画像データのファイル名は、「ｌｅａｆｌｅｔ＿ｂｂｂ．ｔｉｆｆ」となる（ステップＳ４１）。
【００５４】
このようにして形成された画像データを図２の転送部１１３が記憶部７の転送先フォルダ「ｃ：￥ａａａ２」にネットワーク１３を介して転送する（ステップＳ１７）。
【００５５】
さらに、図８に示すように、図２の監視部２０１によって、「ｃ：￥ａａａ２」というフォルダに画像データが格納されたことが検出されると（ステップＳ２１のＹＥＳ）、図２の処理部２０５がスキャン属性テーブル２０７を参照し、画像データに付与されている識別情報を判別する（ステップＳ５１）。ここでは、小冊子スキャン指定を示す「ｌｅａｆｌｅｔ＿」という識別情報が付与されているので、小冊子スキャンであることを判別する（ステップＳ２３のＹＥＳ）。なお、図８で「Ｎｉｎ１」と記載されているのは、「Ｎｉｎ１または小冊子」の意味である。
【００５６】
そして、図２の処理部２０５は図２の記憶部７のフォルダ「ｃ：￥ａａａ２」から画像データを読み出し（ステップＳ２５）、小冊子スキャン処理を行う（ステップＳ２７）。そして、再度図２の記憶部７のフォルダ「ｃ：￥ａａａ２」に処理済みの画像データを格納し直す（ステップＳ２９）。
【００５７】
このようにして、図２の記憶部７に格納された画像データは、予め図２のカラープリンタ１７への自動印刷指定が設定されていた場合は、図２のネットワーク１３を介して図２のカラープリンタ１７に印刷指示とともに出力される。図２のカラープリンタ１７では、画像データを受信した後、両面印刷処理される。図２のカラープリンタ１７では、小冊子印刷処理は必要なく、通常の両面印刷処理のみをすれば、小冊子印刷されることとなる。また、図２の記憶部７に格納された画像データをプリンタに転送する前に、図１のＰＣ５の表示部１１にプレビュー画面２３として表示させると、小冊子印刷の状態のプレビュー画面２３を表示させることができる。
【００５８】
以上説明したように、本実施形態の画像処理システムによれば、ＭＦＰ１でスキャンされた画像データをスキャン属性に従って処理することができる。このように本発明によれば、Ｎｉｎ１スキャンや小冊子スキャンなどスキャン機能を拡張し、操作性の良い画像処理システムを提供することができる。
【００５９】
また、Ｎｉｎ１スキャン機能をエージェントソフト３で実現させることにより、スキャナにＮｉｎ１スキャン処理させる場合に比較して、スキャナに大容量のメモリが不要となり、コストを抑えられる。また、スキャン時の処理に時間がかかるのを防ぐことができる。
【００６０】
以上、図面を参照して本発明の実施形態について述べたが、これらは本発明の例示であり、上記以外の様々な構成を採用することもできる。
【００６１】
たとえば、上記実施形態において、スキャン属性として、Ｎｉｎ１スキャンや小冊子スキャンの指定が可能な例について説明したが、この他に、ページ連写スキャンなどもできる。たとえば、ＭＦＰ１でスキャンした画像データをページ連写スキャンする場合は、ＰＣ５の処理部２０５は、転送された画像データを１ページに指定された数だけ連写した画像データを形成し、記憶部７に再度格納し直すことができる。これにより、ページ連写処理された画像データを通常印刷指定するだけで、ページ連写印刷機能を有さないプリンタでもページ連写印刷を行うことが可能となる。
【００６２】
具体的には、たとえば、ファイル名ｃｃｃ．ｔｉｆｆという画像データを１６個ページ連写する場合について説明する。ＭＦＰ１の付与部が、ページ連写を識別するための識別情報として、「ｃｏｎｔｓｈｏｔ＿」をファイル名に付与するとともに、連写数を指定するための識別情報として、「１６＿」をさらに付与し、ファイル名を「ｃｏｎｔｓｈｏｔ＿１６＿ｃｃｃ．ｔｉｆｆ」とする。ＰＣ５では、処理部２０５が「ｃｏｎｔｓｈｏｔ＿１６＿」という識別情報を識別し、画像データを１６個ページ連写する処理を行う。
【００６３】
あるいは、ページ連写スキャン属性と「￥ｃｏｎｔｓｈｏｔ」というフォルダを対応付けて、図２の転送属性テーブル１０９および図２のスキャン属性テーブル２０７に記憶し、ＭＦＰ１の付与部が、ページ連写の連写数を指定するための識別情報として「１６＿」を画像データに付与し、「￥ｃｏｎｔｓｈｏｔ」というフォルダに画像データを転送する。ＰＣ５では、監視部２０１がフォルダ「￥ｃｏｎｔｓｈｏｔ」に画像データが格納されたことを検出し、処理部２０５がページ連写の連写数を示す「１６＿」を識別し、１６個のページ連写スキャンであることを判別し、処理することができる。
【００６４】
このように、上記第一の実施形態および第二の実施形態の構成を組み合わせることもできる。
【００６５】
また、上記実施形態において、Ｎｉｎ１処理などを施した画像データは、同じフォルダに上書きさせ、画像データの処理状態を管理テーブル２０３で管理する構成としたが、これに限定されない。たとえば、処理済みの画像データを格納する別のフォルダを設け、処理部２０５が処理済みの画像データを移動させるようにしてもよい。このようにすれば、監視部２０１は、管理テーブル２０３を確認する必要がなくなり、単に監視部２０１に格納された新規のフォルダの有無を監視すればよいこととなる。
【００６６】
あるいは、処理部２０５が処理済みの画像データのファイル名に処理済みであることを示す識別情報を付与してファイル名を変更する構成とすることもできる。この場合も監視部２０１は管理テーブル２０３を確認する必要がなくなる。
【００６７】
さらに、図７に示された上記実施形態では、ＭＦＰ１から画像が転送される際、画像データに識別情報を付与する構成としたが、これに限定されない。たとえば、画像データとは別に、識別情報を記載したテキストデータ、あるいは、そのテキストデータのファイル名に識別情報を含めて、画像データとともにＭＦＰ１からＰＣ５の記憶部７に転送する構成とすることもできる。そして、ＰＣ５では、転送された画像データとテキストデータから取得した識別情報に基づいて処理を認識でき、画像データを処理することができる。
【図面の簡単な説明】
【００６８】
【図１】本発明の実施の形態に係る画像処理システムの構成を示すブロック図である。
【図２】図１の画像処理システムのＭＦＰおよびＰＣの構成を示す機能ブロック図である。
【図３】図２の転送属性テーブルの構造の一例を示す図である。
【図４】図２の画像処理システムのＰＣの管理テーブルの構造の一例を示す図である。
【図５】図１の画像処理システムのＭＦＰの動作の一例を示すフローチャートである。
【図６】図１の画像処理システムのＰＣの動作の一例を示すフローチャートである。
【図７】図１の画像処理システムのＭＦＰの動作の他の例を示すフローチャートである。
【図８】図１の画像処理システムのＰＣの動作の他の例を示すフローチャートである。
【符号の説明】
【００６９】
１  ＭＦＰ
３  エージェントソフト
５  ＰＣ
７  記憶部
９  フォルダ
１１  表示部
１３  ネットワーク
１５  モノクロレーザプリンタ
１７  カラープリンタ
２１  原稿
２３  プレビュー画面
１０１  操作部
１０３  スキャン属性受付部
１０５  読取部
１０７  画像データ一時記憶部
１０９  転送属性テーブル
１１１  転送制御部
１１３  転送部
１２１  スキャン属性
１２３  転送先フォルダ
２００  受信部
２０１  監視部
２０３  管理テーブル
２０５  処理部
２０７  スキャン属性テーブル
２０９  出力部
２２１  受信時間
２２３  ファイル名
２２５  状態
【図１】
2008283441.tif 000003
【図２】
2008283441.tif 000004
【図３】
2008283441.tif 000005
【図４】
2008283441.tif 000006
【図５】
2008283441.tif 000007
【図６】
2008283441.tif 000008
【図７】
2008283441.tif 000009
【図８】
2008283441.tif 000010